(57)【要約】【課題】階段板の裏側からの間接照明光により階段昇降の安全を確保でき、しかも照明ユニットの納まりを良くすると共に階段廻りの美観の低下を防止でき、さらに照明ユニットと階段板との取り合いの調整を容易にでき、そのうえ大掛かりな構造とならず、施工性を良くできる照明階段を提供すること。【解決手段】踏板２ａと蹴込板２ｂとからなる階段板２の裏側Ｂに照明ユニット４を配設すると共に、階段板２の側端部２ｃと階段壁面３との境界部に、階段板２の表側Ａに向かって照明ユニット４からの間接照明光Ｒを出射するための照明隙間５を設けた照明階段１である。【選択図】図１
2008008119.tif 000002
【特許請求の範囲】
【請求項１】
踏板と蹴込板とからなる階段板の裏側に照明ユニットを配設すると共に、階段板の側端部と階段壁面との境界部に、階段板の表側に向かって上記照明ユニットからの間接照明光を出射するための照明隙間を設けたことを特徴とする照明階段。
【請求項２】
上下階に掛け渡される側桁を階段状に切り欠き形成して、踏板と蹴込板とからなる複数組の階段板を側桁にて支持し、階段板の側端部を側桁の外側面よりも階段壁面側に延出し、この壁側延出部分の裏側における側桁の外側面部分に照明ユニットを取り付けると共に、壁側延出部分の先端と階段壁面との境界部に、階段板の表側に向かって上記照明ユニットからの間接照明光を出射するための照明隙間を設けたことを特徴とする照明階段。
【発明の詳細な説明】
【技術分野】
【０００１】
本発明は、階段板の裏側から階段板と階段壁面の境界部に沿って間接照明を行なうことができるようにする照明階段に関するものである。
【背景技術】
【０００２】
従来、階段の足元照明を行なうにあたって、階段壁面に設置される巾木の内部に照明器具を組み込み、階段を昇降する際に照明器具からの直接照明によって階段板が見えるようにしている（例えば、特許文献１参照）。
【０００３】
ところが上記特許文献１に見られる従来例では、巾木の内部に照明器具を組み込む必要があるために、巾木の穴開けや熱対策処理等の煩雑な施工を現場で行なう必要があるなど、大掛かりな構造となり、しかも巾木に照明穴を設けることで意匠的に違和感が出て美観が損なわれるという問題があり、そのうえ、照明効果が最大限に発揮されるようにするための照明器具と階段板との取り合いの調整に手間がかかるという問題もあった。
【特許文献１】特開平１１−６６９３８号公報
【発明の開示】
【発明が解決しようとする課題】
【０００４】
本発明は上記の従来の問題点に鑑みて発明したものであって、階段板の裏側からの間接照明光によって階段昇降の安全確保が図られ、しかも照明ユニットの納まりが良くなると共に階段廻りの美観の低下を防止でき、さらに照明ユニットと階段板との取り合いの調整を容易にできる照明階段を提供することを課題とし、さらに従来と比較して大掛かりな構造とはならず、施工性にも優れた照明階段を提供することを課題とするものである。
【課題を解決するための手段】
【０００５】
前記課題を解決するために請求項１の発明は、踏板２ａと蹴込板２ｂとからなる階段板２の裏側Ｂに照明ユニット４を配設すると共に、階段板２の側端部２ｃと階段壁面３との境界部に、階段板２の表側Ａに向かって上記照明ユニット４からの間接照明光Ｒを出射するための照明隙間５を設けたことを特徴としている。
【０００６】
このような構成とすることで、階段板２の裏側Ｂから、階段板２と階段壁面３との境界部に沿って設けられた照明隙間５から階段板２の表側Ａに向かって、間接照明光Ｒが出射されるので、視覚効果を高めることができ、階段昇降の際に主照明を点灯しなくても、階段昇降の安全性を確保できるようになり、しかも、照明ユニット４を階段板２の裏側Ｂに納めることで照明ユニット４の納まりが良くなると共に階段廻りの美観が損なわれることもなくなり、そのうえ、照明ユニット４と階段板２との取り合いを調整することが簡単にできるようになる。
【０００７】
また、請求項２の発明は、上下階に掛け渡される側桁６を階段状に切り欠き形成して、踏板２ａと蹴込板２ｂとからなる複数組の階段板２を側桁６にて支持し、階段板２の側端部２ｃを側桁６の外側面６ａよりも階段壁面３側に延出し、この壁側延出部分２ｄの裏側Ｂにおける側桁６の外側面６ａ部分に照明ユニット４を取り付けると共に、壁側延出部分２ｄの先端と階段壁面３との境界部に、階段板２の表側Ａに向かって上記照明ユニット４からの間接照明光Ｒを出射するための照明隙間５を設けたことを特徴としている。
【０００８】
このような構成とすることで、請求項1記載の利点に加えて、側桁６の外側面６ａを利用して照明ユニット４が取り付けられるので、階段板２の裏側Ｂに照明ユニット４を取り付けるための専用の部品を設ける必要がなく、部品数の増加を防止できるうえに、従来のように巾木に照明器具を組み込むといった大掛かりな構造となるのを防止できる。
【発明の効果】
【０００９】
本発明にあっては、階段板の裏側から階段板と階段壁との境界部に沿って設けられた照明隙間を通して、間接照明光を出射することにより、階段昇降の安全確保が図られると共に、照明ユニットの納まりが良好になると共に階段廻りの美観の低下を防止でき、さらに照明ユニットと階段板とを非常にすっきりとした取り合い構成とすることができる照明階段を提供できるものである。
【００１０】
また本発明にあっては、側桁の外側面を利用して照明ユニットを取り付けることにより、従来と比較して大掛かりな構造とはならず、施工性にも優れた照明階段を提供できるものである。
【発明を実施するための最良の形態】
【００１１】
以下、本発明を添付図面に示す実施形態に基いて説明する。
【００１２】
図１は照明階段１の照明ユニット４の取り付け位置及び照明隙間５の一例を示し、図２は片側に袖壁７、他側に階段壁面３を備えた照明階段１の斜視図であり、図３（ａ）は同上の照明階段１の側面断面図、（ｂ）は正面図、（ｃ）は平面図である。
【００１３】
本例の照明階段１は、図３（ａ）〜（ｃ）に示すように、上下階に掛け渡される側桁６を階段状に切り欠き形成して、踏板２ａと蹴込板２ｂとからなる複数組の階段板２を側桁６の切り欠き部分で支持したものであり、各階段板２の裏側Ｂにはそれぞれ照明ユニット４が配設されている。
【００１４】
上記階段板２の側端部２ｃと階段壁面３との境界部には、階段板２の表側Ａに向かって照明ユニット４からの間接照明光Ｒを出射するための照明隙間５が設けられている。
【００１５】
この照明隙間５の下方において、階段板２（踏板２ａ、蹴込板２ｂ）の側端部２ｃを側桁６の外側面６ａよりも階段壁面３側に向かって延出させると共に、この壁側延出部分２ｄの裏側Ｂにおける側桁６の外側面６ａ部分に沿って照明ユニット４が取り付けられている。
【００１６】
照明ユニット４は、階段状に屈曲した照明ダクト９と、照明ダクト９に内蔵される複数の光源１０とを備えている。
【００１７】
上記照明ダクト９は、例えば図４、図５に示すＬ形ダクト部品９Ａを複数個連結して構成される。Ｌ形ダクト部品９Ａは、断面コ字状の本体１５と、本体１５の透光面４ａをカバーする透光性素材からなる透光性蓋１６とで構成されている。図５中の１７はネジ打ち込み用溝、１６ａは蓋係合爪である。また、Ｌ形ダクト部品９Ａの一辺の端部には被接続口１３が設けられ、他辺の端部には上記被接続口１３に差し込まれて接続される接続部１４が設けられており、各Ｌ形ダクト部品９Ａの接続部１４と被接続口１３とを接続することで階段状に屈曲した照明ダクト９が組み立てられると共に、この照明ダクト９を側桁６の外側面６ａ部分に沿ってねじ固定できるようになっている。
【００１８】
上記照明ダクト９の内部には、電線で接続された複数の光源１０（図１）が適宜間隔をあけて直列状に配置されている。光源１０の配線は、階段板２の裏側Ｂに設置された電源コンセント１１（図２）、及び、壁スイッチ１２を介してＡＣ１００Ｖ電源に接続されている。光源１０としては、例えば、小型且つ高輝度であるＬＥＤ光源が用いられ、複数のＬＥＤ光源を照明ダクト９の内部に直列状に配設することによって、照明ダクト９の全長に亘って線光源のように光を放射できるようになる。また、各光源１０の出射方向前方を透光性素材からなる透光性蓋１６で覆うことにより、光源１０からの光を均一化させて線状に連続した間接照明光Ｒが得られるようになる。なお光源１０の個数は限定されないが、光源１０の間隔は、間接照明の光量が場所によって大きく変化しないように、光源１０の光量に応じて適宜調整されている。
【００１９】
一方、上記階段板２を支持する側桁６は、上記照明ユニット４よりも下側部分で階段壁面３に対して固定されている。その一例を図６に示す。図６では、側桁６の照明ユニット４を取り付ける部位よりも下側部分に、階段壁面３に固定される壁固定部６ｂを一体に突設し、固定具３０にて壁固定部６ｂを階段壁面３に固定している。この壁固定部６ｂは、階段板２（踏板２ａ、蹴込板２ｂ）と略平行な階段状に屈曲しており、これにより、上記階段状に屈曲した照明ユニット４の下面側に沿わせて壁固定部６ｂを略平行に配置できるようになっている。また壁固定部６ｂは照明ユニット４の透光面4ａよりも階段壁面3側に突出しているので、側桁6を階段壁面３に固定する機能に加えて、照明ユニット４の透光面４ａと階段壁面３との間に照明隙間５に通じる導光路８を確保する機能と、照明ユニット４の出射光が下方へ漏れないようにする光反射機能も併せ持っている。
【００２０】
しかして、本発明の照明階段１は、階段板２の裏側Ｂに配設した照明ユニット４からの出射光を、階段板２と階段壁面３との境界部に設けた照明隙間５から階段板２の表側Ａに向けて出射させるので、照明隙間５からの間接照明光Ｒ（図１、図６）によって階段板２の段形状が直感的に理解でき、従って、従来のように階段板を直接照らさなくても、昇降者は不安を覚えずに昇降できるようになる。
【００２１】
また、本例の照明ユニット４は、階段状に屈曲した照明ダクト９内部に複数の光源１０を直列状に配置しているので、照明隙間５からの間接照明光Ｒが線状となり、視覚効果をより高めることができる。また本例では、照明ユニット４の透光面４ａが階段板２の壁側延出部分２ｄの先端とほぼ面一、或いはそれよりも奥側に配置されているので、照明隙間５から階段板２の裏側Ｂに侵入する埃やゴミなどが照明ユニット４の透光面４ａに付着しにくくなり、透光面４ａが汚れにくくなるので、間接照明光Ｒの輝度の低下を防止できる。さらに、照明ユニット４よりも下側に配置される側桁６の壁固定部６ｂを利用して、照明ユニット４の導光路８を確保できると共に、照明ユニット４の出射光が下方に漏れるのを防止できるようになるので、間接照明光Ｒの輝度を向上させて視覚効果をより高めることができる結果、階段昇降の際に主照明を点灯しなくても、階段昇降の安全性を十分に確保できるものである。
【００２２】
また、施工にあたって、照明ユニット４を階段板２の裏側Ｂに配置することで、照明ユニット４の電気配線を階段板２の裏側Ｂのスペースを利用して行なえるので、照明ユニット４の納まりが良くなり、階段廻りの美観が損なわれることがない。また照明ユニット４は階段状に屈曲した照明ダクト９を備えるので、側桁６の外側面６部分への照明ダクト９の取り付けがきわめて容易となり、しかも側桁６を利用して照明ユニット４を取り付けるので、照明ユニット４を取り付けるための専用の部品を別途設ける必要がなく、部品数の増加を防止できると共に大掛かりな構造とはならず、そのうえ照明ユニット４と階段板２との取り合いを調整することが簡単にでき、施工性が大幅に向上するものである。
【００２３】
なお前記図１〜図６の実施形態では、階段板２の片側のみに照明隙間５を設けて片側だけを間接照明部位とした場合を説明したが、勿論、階段板２の両側に照明隙間５を設けて両側を間接照明部位としてもよいものである。また直線階段の間接照明を例示したが階段下の内回り側と外回り側の両方或いはどちらか一方を、間接照明部位としてもよいものである。その一例を図７に示す。図７に示す例では、階段下の廊下床板２０の裏側に照明ユニットを取り付け、廊下床板２０と廊下壁面２１との境界部に、階段板２の照明隙間５と連続する照明隙間５´を設けることにより、照明階段１から廊下床板２０廻りに亘って連続する間接照明効果が得られるようになる。また同様にして、曲り階段の踊り場板２２の裏側に照明ユニットを取り付け、踊り場板２２と踊り場壁面との境界部に、階段板２の照明隙間５と連続する照明隙間５´´を設けて、照明階段１から踊り場板２２廻りに亘って連続する間接照明効果が得られるようにすることも可能である。
【００２４】
図８、図９は階段壁面３に対する側桁６の取り付け構造の他例を示している。図８では、照明ユニット４よりも下側に照明ユニット４よりも幅広の桟材２５を固定具３１を用いて階段壁面３に固定したものであり、図９では、側桁６の照明ユニット４よりも下側部分に照明ユニット４とほぼ同じ幅を有する側桁段部６ｃを突設し、この側桁段部６ｃと階段壁面３との間に幅狭の桟材２６を介挿して固定具３１を用いて階段壁面３に固定したものである。ここで図８の桟材２５、及び、図９の側桁段部６ｃ及び桟材２６は、いずれも、階段板２（踏板２ａ、蹴込板２ｂ）と略平行な階段状に屈曲しており、これにより、前記図６の側桁６の壁固定部６ｂと同様に、側桁6を階段壁面３に固定する機能に加えて、照明ユニット４の透光面４ａと階段壁面３との間に照明隙間５に通じる導光路８を確保する機能と、照明ユニット４の出射光が下方へ漏れないようにする光反射機能を併せ持つようになる。
【００２５】
また前記実施形態では、照明ユニット４の照明ダクト９を階段状に屈曲させた場合を説明したが、勿論これに限らず、ストレート状の照明ダクトを側桁６の勾配に沿わせて取り付けてもよいものである。また、照明ユニット４はダクトレスタイプのものであってもよい。つまり、複数個の独立した光源１０を側桁６の外側面６ａ部分に沿って適宜間隔をあけて設置してもよいものであり、この場合においても、光源１０の間隔を適宜調整することで、線状に連続した間接照明光Ｒを照明隙間５から出射させることが可能となる。
【図面の簡単な説明】
【００２６】
【図１】本発明の一実施形態の照明階段における照明ユニットの取り付け位置及び照明隙間を説明する要部断面図である。
【図２】同上の照明階段の斜視図である。
【図３】（ａ）〜（ｃ）は同上の照明階段の側面断面図、正面図、平面図である。
【図４】（ａ）〜（ｃ）は同上の照明ダクトを構成するＬ形ダクト部品の側面図、正面図、平面図である。
【図５】図４（ａ）のＤ−Ｄ線断面図である。
【図６】同上の側桁の階段壁面への取り付け状態の一例を示す要部断面図である。
【図７】同上の照明隙間に連続するように廊下床板と廊下壁面との境界部にも照明隙間を設けた場合の一例を示し、（ａ）は側面断面図、（ｂ）は平面図、（ｃ）は正面図である。
【図８】同上の側桁の階段壁面への取り付け状態の他例を示す要部断面図である。
【図９】同上の側桁の階段壁面への取り付け状態の更に他例を示す要部断面図である。
【符号の説明】
【００２７】
１  照明階段
２  階段板
２ａ  踏板
２ｂ  蹴込板
２ｃ  側端部
２ｄ  壁側延出部分
３  階段壁面
４  照明ユニット
５  照明隙間
６  側桁
６ａ  外側面
Ａ  階段板の表側
Ｂ  階段板の裏側
Ｒ  間接照明光
【図１】
2008008119.tif 000003
【図２】
2008008119.tif 000004
【図３】
2008008119.tif 000005
【図４】
2008008119.tif 000006
【図５】
2008008119.tif 000007
【図６】
2008008119.tif 000008
【図７】
2008008119.tif 000009
【図８】
2008008119.tif 000010
【図９】
2008008119.tif 000011